(57)【要約】  ビデオコントローラ、再生コントローラ及び表示システムであって、表示分野に属する。ビデオコントローラは複数の第１ＤＶＩインターフェース、デコーダ及び複数の第２ＤＶＩインターフェースを備え、第１ＤＶＩインターフェースのそれぞれは受信した画像データ流をデコーダに送信し、デコーダは画像データ流における予約済みの制御ビットを解析し、デコーダは画像データ流を画像位置情報に対応した第２ＤＶＩインターフェースに送信し、第２ＤＶＩインターフェースのそれぞれは画像データ流を出力する。再生コントローラはエンコーダと複数の第３ＤＶＩインターフェースを備える。表示システムはビデオコントローラ、表示装置、再生コントローラを備える。本発明は画像データ流の画像位置情報に基づき該画像データ流を出力して、再生コントローラとビデオコントローラのＤＶＩインターフェースの接続順序を考える必要せずに、画像データ流に対応した画像をディスプレイの正確な位置に表示することができる。
2018512747.tif 000002
【特許請求の範囲】
【請求項１】
ビデオコントローラであって、
複数の第１デジタルビデオインターフェースＤＶＩ、デコーダ及び複数の第２ＤＶＩインターフェースを備え、
第１ＤＶＩインターフェースのそれぞれは再生コントローラの対応したＤＶＩインターフェースから送信した第１画像データ流を受信して、第１画像データ流を前記デコーダに送信することに用いられ、前記第１画像データ流の予約済みの制御ビットに該第１画像データ流の画像位置情報を携え
前記デコーダは第１ＤＶＩインターフェースのそれぞれから送信した第１画像データ流を受信し、第１画像データ流の予約済みの制御ビットのそれぞれを解析して、第１ＤＶＩインターフェースのそれぞれに対応した画像位置情報を取得することに用いられ、
前記デコーダは更に、受信した第１ＤＶＩインターフェースのそれぞれの第１画像データ流を復号化して第２画像データ流を取得し、前記第２画像データ流を該第１ＤＶＩインターフェースの対応した画像位置情報に対応した第２ＤＶＩインターフェースに送信することに用いられ、
第２ＤＶＩインターフェースのそれぞれは前記デコーダから受信した第２画像データ流を出力することに用いられるビデオコントローラ。
【請求項２】
複数の表示制御ユニットを更に備え、
前記第２ＤＶＩインターフェースのそれぞれは前記複数の表示制御ユニットにおける１つの表示制御ユニットのみに接続される請求項１に記載のビデオコントローラ。
【請求項３】
前記ビデオコントローラは複数のサブ表示装置を含む表示装置に接続され、且つ第２ＤＶＩインターフェースのそれぞれは１つのサブ表示装置のＤＶＩインターフェースのみに接続される請求項１に記載のビデオコントローラ。
【請求項４】
第２ＤＶＩインターフェースのそれぞれは更にそれに接続されるサブ表示装置が送信した画面位置情報を受信することに用いられ、
前記デコーダは更に、前記複数のサブ表示装置の画面位置情報に基づき、前記複数のサブ表示装置と前記複数の第２ＤＶＩインターフェースとの間の対応関係を確立して記憶することに用いられる請求項３に記載のビデオコントローラ。
【請求項５】
前記デコーダは第１ＤＶＩインターフェースのそれぞれから受信した第１画像データ流において予約済みの制御ビットにおける制御データＣＴＬ０、ＣＴＬ１、ＣＴＬ２及びＣＴＬ３の中の少なくとも１つの指定ビットにおける符号化情報を解析して、第１ＤＶＩインターフェースのそれぞれに対応した画像位置情報を取得するようにすることに用いられる請求項１に記載のビデオコントローラ。
【請求項６】
前記デコーダは前記第１画像データ流において予約済みの制御ビットにおけるＣＴＬ０及びＣＴＬ１における符号化情報を解析して得られた数値を上位の数値とし、ＣＴＬ２とＣＴＬ３における符号化情報を解析して得られた数値を下位の数値として、上位の数値と下位の数値を組み合わせることで、画像位置情報を取得することに用いられ、
又は、デコーダは、具体的に、前記第１画像データ流において予約済みの制御ビットにおけるＣＴＬ０とＣＴＬ１における符号化情報を解析して得られた数値を下位の数値とし、ＣＴＬ２とＣＴＬ３における符号化情報を解析して得られた数値を上位の数値として、画像位置情報を取得することに用いられる請求項１に記載のビデオコントローラ。
【請求項７】
前記デコーダはフィールドプログラマブルゲートアレイＦＰＧＡチップである請求項１ないし請求項６のいずれかに記載のビデオコントローラ。
【請求項８】
再生コントローラであって、
エンコーダと複数の第３ＤＶＩインターフェースを備え、
複数の原画像データ流おける各原画像データ流に対して、前記エンコーダは該原画像データ流を符号化して画像データ流を取得し、該原画像データ流の画像位置情報を前記画像データ流の予約済みの制御ビットに符号化して、該原画像データ流に対応した第１画像データ流を取得し、且つ前記第１画像データ流を第３ＤＶＩインターフェースに送信し、
第３ＤＶＩインターフェースのそれぞれは受信した第１画像データ流を出力する再生コントローラ。
【請求項９】
前記エンコーダは画像位置情報を前記画像データ流において予約済みの制御ビットにおけるＣＴＬ０、ＣＴＬ１、ＣＴＬ２及びＣＴＬ３の中の少なくとも１つの指定ビットに符号化することに用いられる請求項８に記載の再生コントローラ。
【請求項１０】
前記エンコーダは前記画像位置情報における上位の数値を、画像データ流において予約済みの制御ビットにおけるＣＴＬ０とＣＴＬ１に符号化し、前記画像位置情報における下位の数値を、画像データ流において予約済みの制御ビットにおけるＣＴＬ２とＣＴＬ３に符号化することに用いられ、
又は、画像位置情報における下位の数値を画像データ流において予約済みの制御ビットにおけるＣＴＬ０とＣＴＬ１に符号化し、画像位置情報における上位の数値を、画像データ流において予約済みの制御ビットにおけるＣＴＬ２とＣＴＬ３に符号化することに用いられる請求項８に記載の再生コントローラ。
【請求項１１】
前記エンコーダはＦＰＧＡチップである請求項８ないし請求項１０のいずれかに記載の再生コントローラ。
【請求項１２】
表示システムであって、請求項１に記載のビデオコントローラ、請求項８に記載の再生コントローラ、及び表示装置を備え、
前記複数の第３ＤＶＩインターフェースは前記複数の第１ＤＶＩインターフェースに一々対応して接続される。
【請求項１３】
前記ビデオコントローラは複数の表示制御ユニットを更に備え、前記表示装置は複数の表示領域を含み、
前記第２ＤＶＩインターフェースのそれぞれは前記複数の表示制御ユニットにおける１つの表示制御ユニットのみに接続され、
各表示制御ユニットは前記表示装置のディスプレイ上の１つの表示領域における画像表示を制御することに用いられる請求項１２に記載の表示システム。
【請求項１４】
前記表示装置は複数のサブ表示装置を備え、各サブ表示装置は少なくとも１つのＤＶＩインターフェースを備え、
前記ビデオコントローラは前記表示装置に接続され、且つ第２ＤＶＩインターフェースのそれぞれは１つのサブ表示装置の１つのＤＶＩインターフェースのみに接続される請求項１２に記載の表示システム。
【請求項１５】
第２ＤＶＩインターフェースのそれぞれは更にそれに接続されるサブ表示装置が送信した画面位置情報を受信することに用いられ、
前記デコーダは更に前記複数のサブ表示装置の画面位置情報に基づき、前記複数のサブ表示装置と前記複数の第２ＤＶＩインターフェースとの間の対応関係を確立して記憶することに用いられる請求項１４に記載の表示システム。
【請求項１６】
前記デコーダは第１ＤＶＩインターフェースのそれぞれから受信した第１画像データ流において予約済みの制御ビットにおける制御データＣＴＬ０、ＣＴＬ１、ＣＴＬ２及びＣＴＬ３の中の少なくとも１つの指定ビットにおける符号化情報を解析して、第１ＤＶＩインターフェースのそれぞれに対応した画像位置情報を取得するようにすることに用いられる請求項１２に記載の表示システム。
【請求項１７】
前記デコーダは前記第１画像データ流において予約済みの制御ビットにおけるＣＴＬ０及びＣＴＬ１における符号化情報を解析して得られた数値を上位の数値とし、ＣＴＬ２とＣＴＬ３における符号化情報を解析して得られた数値を下位の数値として、上位の数値と下位の数値を組み合わせることで、画像位置情報を取得することに用いられ、
又は、デコーダは、具体的に、前記第１画像データ流において予約済みの制御ビットにおけるＣＴＬ０とＣＴＬ１における符号化情報を解析して得られた数値を下位の数値とし、ＣＴＬ２とＣＴＬ３における符号化情報を解析して得られた数値を上位の数値として、画像位置情報を取得することに用いられる請求項１２に記載の表示システム。
【発明の詳細な説明】
【技術分野】
【０００１】
本発明は表示分野に関し、特にビデオコントローラ、再生コントローラ及び表示システムに関する。
【背景技術】
【０００２】
表示技術の急速な発展に伴って、ディスプレイのサイズは大きくなる。大きいサイズ画面表示のシーンで、大量の画像データの伝送に対応するために、再生コントローラとビデオコントローラにともに複数の対応したデジタルビデオインターフェースＤＶＩ（Ｄｉｇｉｔａｌ  Ｖｉｓｕａｌ  Ｉｎｔｅｒｆａｃｅ）を設置することができ、ユーザは複数本の接続線を使用して再生コントローラとビデオコントローラにおけるＤＶＩインターフェースを接続することができ、それにより画像データ流を再生コントローラからビデオコントローラに伝送し、ビデオコントローラによりディスプレイの表示を制御する。
【０００３】
具体的な応用において、再生コントローラにおけるＤＶＩインターフェースとビデオコントローラにおけるＤＶＩインターフェースを一々対応して接続するのを保証する必要があり、再生コントローラにおけるＤＶＩインターフェースとビデオコントローラにおけるＤＶＩインターフェースの接続順序が正確である際に、ビデオコントローラにおけるデコーダは再生コントローラにより伝送された画像データ流を復号化し、且つ復号化後の画像データをディスプレイの対応した位置に表示させることによって、画像の正常な表示を実現する。図１に示すように、図１における（ｂ）の図はビデオコントローラの構造模式図であり、該ビデオコントローラはＡ１、Ａ２、Ａ３、Ａ４という４つのＤＶＩインターフェースを含み、図１における（ａ）の図は再生コントローラの構造模式図であり、該再生コントローラはＰ１、Ｐ２、Ｐ３、Ｐ４という４つのＤＶＩインターフェースを含み、  Ａ１、Ａ２、Ａ３、Ａ４とＰ１、Ｐ２、Ｐ３、Ｐ４とは一々対応して接続され、ＤＶＩインターフェースの接続順序が正確である際に、図１中（ｃ）の図における完全な花を表示することができる。
【０００４】
しかしながら、再生コントローラ及びビデオコントローラにおけるＤＶＩインターフェースが多いである際に、接続順序が間違う状況を発生しやすく、このような場合に、再生コントローラから伝送してきた画像がディスプレイにおける表示位置も間違い、図２に示すように、図２における（ａ）の図と（ｂ）の図との間のＤＶＩインターフェースを誤接続して、即ち、Ｐ１がＡ３に誤接続され、Ｐ３がＡ１に誤接続され、それにより図２における（ｃ）の図の左下の領域に表示すべきである内容は左上の表示領域に表示され、且つ図２における（ｃ）の図の左上の領域に表示すべきである内容は左下の表示領域に表示され、それによりディスプレイ全体に表示した画面は混乱してしまい、更に表示効果が悪くなってしまう。
【発明の概要】
【課題を解決するための手段】
【０００５】
本発明の実施例の第１様態によれば、ビデオコントローラであって、複数の第１デジタルビデオインターフェースＤＶＩ、デコーダ及び複数の第２ＤＶＩインターフェースを備え、第１ＤＶＩインターフェースのそれぞれは再生コントローラの対応したＤＶＩインターフェースから送信した第１画像データ流を受信して、第１画像データ流を前記デコーダに送信することに用いられ、前記第１画像データ流の予約済みの制御ビットに該第１画像データ流の画像位置情報を携え、前記デコーダは第１ＤＶＩインターフェースのそれぞれから送信した第１画像データ流を受信し、第１画像データ流の予約済みの制御ビットのそれぞれを解析して、第１ＤＶＩインターフェースのそれぞれに対応した画像位置情報を取得することに用いられ、前記デコーダは更に、受信した第１ＤＶＩインターフェースのそれぞれの第１画像データ流を復号化して第２画像データ流を取得し、前記第２画像データ流を該第１ＤＶＩインターフェースの対応した画像位置情報に対応した第２ＤＶＩインターフェースに送信することに用いられ、第２ＤＶＩインターフェースのそれぞれは前記デコーダから受信した第２画像データ流を出力することに用いられるビデオコントローラが提供される。
【０００６】
本発明の実施例の第２様態によれば、再生コントローラであって、エンコーダと複数の第３ＤＶＩインターフェースを備え、複数の原画像データ流おける各原画像データ流に対して、前記エンコーダは該原画像データ流を符号化して画像データ流を取得し、該原画像データ流の画像位置情報を前記画像データ流の予約済みの制御ビットに符号化して、該原画像データ流に対応した第１画像データ流を取得し、且つ前記第１画像データ流を第３ＤＶＩインターフェースに送信し、第３ＤＶＩインターフェースのそれぞれは受信した第１画像データ流を出力する再生コントローラが提供される。
【０００７】
本発明の実施例の第３様態によれば、表示システムであって、上記のビデオコントローラ、上記の再生コントローラ、及び表示装置を備え、前記再生コントローラの複数の第３ＤＶＩインターフェースは前記ビデオコントローラの複数の第１ＤＶＩインターフェースに一々対応して接続される表示システムが提供される。
【発明の効果】
【０００８】
本発明の実施例による技術手段の有益な効果は、本発明はビデオコントローラによって第１ＤＶＩインターフェースのそれぞれが受信した第１画像データ流における予約済みの制御ビットを解析して、第１ＤＶＩインターフェースのそれぞれに対応した画像位置情報を取得し、次に、該画像位置情報に基づき、前記第１画像データ流から復号化して得られた第２画像データ流を対応した第２ＤＶＩインターフェースに送信し、次に第２ＤＶＩインターフェースのそれぞれは受信された第２画像データ流を出力して表示し、それによりビデオコントローラと再生コントローラのＤＶＩインターフェースとの接続順序は間違っても、各第２画像データ流をその画像位置情報に対応した第２ＤＶＩインターフェースに伝送することができ、画像表示位置に間違うことがなく、画面混乱などの状況がなく、それにより表示効果を向上させる。
【図面の簡単な説明】
【０００９】
本発明の実施例における技術手段をより明らかに説明するために、以下、実施例の記述で使用する必要がある図面を簡単に紹介し、明らかに、以下の記述における図面は本発明の幾つかの実施例だけであり、当業者にとって、創造的努力をしない前提で、これらの図面に応じてその他の図面を取得してもよい。
【００１０】
【図１】は大きいサイズ画面表示画像の模式図である。
【図２】は他の大きいサイズ画面表示画像の模式図である。
【図３】は本発明の実施例によるビデオコントローラを示す構造模式図である。
【図４】は本発明の実施例による再生コントローラを示す構造模式図である。
【図５】は本発明の実施例による符号化模式図である。
【図６】は本発明の実施例による表示システムの接続模式図である。
【図７】は本発明の実施例による他の表示システムの接続模式図である。
【図８】は本発明の実施例による画像表示方法のフローチャートである。
【図９】本発明の実施例による他の画像表示方法のフローチャートである。
【発明を実施するための形態】
【００１１】
本発明の目的、技術手段及び利点をより明らかにさせるために、以下、図面を結合して本発明の実施形態を更に詳細的に説明する。
【００１２】
図３は本発明の実施例によるビデオコントローラの構造模式図であり、該ビデオコントローラは複数の第１ＤＶＩインターフェース３０１、デコーダ３０２及び複数の第２ＤＶＩインターフェース３０３を備える。
【００１３】
第１ＤＶＩインターフェース３０１のそれぞれは再生コントローラの対応したＤＶＩインターフェースから送信した第１画像データ流を受信し、第１画像データ流をデコーダ３０２に送信することに用いられ、該第１画像データ流の予約済みの制御ビットに該第１画像データ流の画像位置情報を携える。デコーダ３０２は第１ＤＶＩインターフェース３０１のそれぞれが送信した第１画像データ流を受信し、第１画像データ流の予約済みの制御ビットのそれぞれを解析して、第１ＤＶＩインターフェース３０１のそれぞれに対応した画像位置情報を取得することに用いられる。デコーダ３０２は更に受信した第１ＤＶＩインターフェース３０１のそれぞれの第１画像データ流を復号化して、第２画像データ流を取得し、第２画像データ流を該画像位置情報に対応した第２ＤＶＩインターフェース３０３に送信する。選択的に、デコーダ３０２はビデオコントローラ内部に配備されるフィールドプログラマブルゲートアレイＦＰＧＡ（Ｆｉｅｌｄ  Ｐｒｏｇｒａｍｍａｂｌｅ  Ｇａｔｅ  Ａｒｒａｙ）チップであってもよく、該チップは復号化機能を備える。第２ＤＶＩインターフェース３０３のそれぞれはデコーダが送信した第２画像データ流を受信し、第２画像データ流を出力することに用いられる。
【００１４】
説明する必要があるのは、該図３に示したビデオコントローラにオーディオデコーダ、無線伝送インターフェース、プロトコル処理ユニットなどのその他の基本デバイスを更に備え、ビデオ再生機能を実現することに用いられ、本発明の実施例はこれを具体的に限定しない。
【００１５】
第１画像データ流において予約済みの制御ビット、例えばＣＴＬ０−ＣＴＬ３（Ｃｏｎｔｒｏｌ、制御データ）を有し、これらの予約済みの制御ビットは一般的にアイドルであり、画像データを載せないので、該予約済みの制御ビットを画像位置情報のベアラーとして利用でき、再生コントローラ側で符号化等の手段によって、原画像データ流を符号化する過程において、各原画像データ流の自身の画像位置情報を該第１画像データ流の予約済みの制御ビットのＣＴＬ０−ＣＴＬ３における少なくとも１つの指定ビットに符号化する。
【００１６】
ビデオコントローラが予約済みの制御ビットのどちら又はいくつかを復号化するかのは、再生コントローラとビデオコントローラの間により予め約束されてよい。例えば、再生コントローラとビデオコントローラとは初期接続を行う際に、設備パラメータのマッチング等の手段により、予約済みの制御ビットにおけるＣＴＬ０−ＣＴＬ３の４ビットを画像位置情報のベアラーとして使用することを決定する。具体的には、画像位置が７である原画像データ流に対して、画像位置情報７をバイナリの形式でＣＴＬ０−ＣＴＬ３に符号化でき、つまり、ＣＴＬ０−ＣＴＬ３に数値０１１１をベアラーし、ビデオコントローラにおけるデコーダはいずれかの第１ＤＶＩインターフェースによって該第１画像データ流を受信した際に、予め約束したＣＴＬ０−ＣＴＬ３を解析して、数値０１１１を取得し、それにより該第１画像データ流を画像位置７に表示すべきであるのを知り、それにより現在で該第１ＤＶＩインターフェースから受信した第１画像データ流を解析した後、第２画像データ流を取得し、且つ第２画像データ流を画像位置７に対応した第２ＤＶＩインターフェースに送信し、第２ＤＶＩインターフェースにより出力し、それにより画像の表示を実現する。
【００１７】
具体的には、予め約束された指定ビット及び指定ビットの数のの違いによって、デコーダ３０２は画像位置情報を解析する際に、以下のような方式を有してよい。
【００１８】
第1方式、デコーダ３０２は第１画像データ流において予約済みの制御ビットにおけるＣＴＬ０、ＣＴＬ１、ＣＴＬ２及びＣＴＬ３の中の１つの指定ビットにおける符号化情報を解析することに用いられる。
【００１９】
第２方式、デコーダ３０２は第１画像データ流において予約済みの制御ビットにおけるＣＴＬ０、ＣＴＬ１、ＣＴＬ２及びＣＴＬ３の中の２つの指定ビットにおける符号化情報を解析することに用いられる。
【００２０】
第３方式、デコーダ３０２は第１画像データ流において予約済みの制御ビットにおけるＣＴＬ０、ＣＴＬ１、ＣＴＬ２及びＣＴＬ３の中の３つの指定ビットにおける符号化情報を解析することに用いられる。
【００２１】
第４方式、デコーダ３０２は第１画像データ流において予約済みの制御ビットにおけるＣＴＬ０、ＣＴＬ１、ＣＴＬ２及びＣＴＬ３における符号化情報を解析することに用いられる。
【００２２】
また、デコーダ３０２は更に第１画像データ流において予約済みの制御ビットにおけるＣＴＬ０、ＣＴＬ１における符号化情報を解析して得られた数値を上位の数値として設定して、ＣＴＬ２とＣＴＬ３における符号化情報を解析して得られた数値を下位の数値として設定し、上位の数値と下位の数値を組み合わせ、画像位置情報を取得する。代わりに、デコーダ３０２は具体的に第１画像データ流において予約済みの制御ビットにおけるＣＴＬ０、ＣＴＬ１における符号化情報を解析して得られた数値を下位の数値として設定し、ＣＴＬ２とＣＴＬ３における符号化情報を解析して得られた数値を上位の数値として設定し、画像位置情報を取得する。これにより、４ビットの予約済みの制御ビットをより多くのＤＶＩインターフェースを有する設備に応用でき、符号化の柔軟性を向上させる。例えば、ビデオコントローラは合計で３３個のインターフェースがあると、ＣＴＬ０とＣＴＬ１にそれぞれ下位の数値をベアラーし、ＣＴＬ２とＣＴＬ３に上位の数値をベアラーする例を説明し、ＣＴＬ０とＣＴＬ１にそれぞれ１と１をベアラーし、ＣＴＬ２とＣＴＬ３にそれぞれ１と１をベアラーすると、ＣＴＬ０とＣＴＬ１に下位の数値３をベアラーし、ＣＴＬ２とＣＴＬ３に上位の数値３をベアラーすることになり、該第１ＤＶＩインターフェースが受信した画像データ流を３３番目の表示領域に表示すべきであるのを確定することができる。
【００２３】
以下、上記の４種方式の中の第２方式に対して、つまり該２個の指定ビットがＣＴＬ０、ＣＴＬ１である例を説明し、デコーダが第１画像データ流において予約済みの制御ビットにおけるＣＴＬ０、ＣＴＬ１を解析する際に、得られた画像位置情報は１０進数２である際、且つ図１における（ｃ）の図で右上の表示領域の画面位置情報が２であると仮定すると、デコーダは現在で解析された画像位置情報に基づき該第１画像データ流を図１の（ｃ）図における右上（即ち画面位置情報が２）の表示領域に表示すべきであるのを確定することができる。
【００２４】
デコーダによって受信した第１ＤＶＩインターフェースのそれぞれが送信した第１画像データ流における予約済みの制御ビットを解析することによって、第１ＤＶＩインターフェースのそれぞれが送信した第１画像データ流の画像位置情報を取得でき、即ち第１ＤＶＩインターフェースのそれぞれが送信した第１画像データ流をディスプレイに表示すべきである位置を確定することができる。ビデオコントローラにおける第２ＤＶＩインターフェースのそれぞれはディスプレイにおける異なる表示位置に対応するため、デコーダは第１画像データ流の画像位置情報を確定した後に、第１画像データ流を復号化して、第２画像データ流を取得し、且つ第１画像データ流の画像位置情報に基づき、第２画像データ流を対応した第２ＤＶＩインターフェースに送信する。例えば、デコーダはある第１ＤＶＩインターフェースの送信した第１画像データ流における予約済みの制御ビットを解析して得られた画像位置情報が１０進数３であり、且つ図１の（ｃ）の図における左下の表示領域の画面位置情報が３である際に、デコーダは現在で解析された第１画像データ流の画像位置情報３に基づき、第２画像データ流を画面位置情報３に対応した第２ＤＶＩインターフェースに送信し、該第２画像データ流を図１の（ｃ）の図における左下の表示領域に表示させるようにする。
【００２５】
上記の４種の方式の中のその他の方式は該第２方式と同様で、ここで省略する。
【００２６】
説明する必要があるのは、デコーダはビデオコントローラと再生コントローラが初めて接続する際に、第１ＤＶＩインターフェースと画像位置情報との対応関係を取得して保存することで、後続の該第１ＤＶＩインターフェースによって伝送した画像データ流をいずれも該画像位置情報に対応した第２ＤＶＩインターフェースに送信するようにし、後続の予約済みの制御ビットを解析する際の作業量を減少することができる。勿論、この第１ＤＶＩインターフェースと画像位置情報との対応関係を取得する過程は画像データ流の伝送に基づいてリアルタイムに行ってもよく、本発明の実施例はこれに制限されない。
【００２７】
具体的には、初めて接続する際に、デコーダは第１ＤＶＩインターフェースと画像位置情報との対応関係を取得するのは、最初にある第１ＤＶＩインターフェースが送信した第１画像データ流を解析してから、該第１ＤＶＩインターフェースに対応した画像位置情報を取得し、且つ該第１ＤＶＩインターフェースにおける第１画像データ流を復号化して、第２画像データ流を取得し、該第１ＤＶＩインターフェースに対応した画像位置情報に基づき該第１ＤＶＩインターフェースに対応した第２ＤＶＩインターフェースを確定し、該第１ＤＶＩインターフェースに対応した画像位置情報を保存し又は該第１ＤＶＩインターフェースに対応した第２ＤＶＩインターフェースの情報を保存して、且つ第２画像データ流を該第２ＤＶＩインターフェースに送信すること、次に、次回で該第１ＤＶＩインターフェースが送信した第１画像データ流を受信する際に、再び第１画像データ流の予約済みの制御ビットを解析する必要がなく、保存した第１ＤＶＩインターフェースに対応した画像位置情報又は該第１ＤＶＩインターフェースに対応した第２ＤＶＩインターフェースの情報に従って、復号化して得られた第２画像データ流を対応した第２ＤＶＩインターフェースに送信すればよい。
【００２８】
本発明の実施例によるビデオコントローラによれば、ビデオコントローラは第１ＤＶＩインターフェースのそれぞれが受信した第１画像データ流における予約済みの制御ビットを解析することによって、該第１ＤＶＩインターフェースに対応した画像位置情報を取得し、次に、該画像位置情報に基づき、復号化後の第２画像データ流を該画像位置情報に対応した第２ＤＶＩインターフェースに送信して、該第２ＤＶＩインターフェースによって第２画像データ流を出力して表示するようにする。各第２画像データ流の画像位置情報に基づき該第２画像データ流を該画像位置情報に対応した第２ＤＶＩインターフェースに伝送するため、ビデオコントローラのＤＶＩインターフェースと再生コントローラのＤＶＩインターフェースとの接続順序が間違っても、各第２画像データ流をその画像位置情報に対応した第２ＤＶＩインターフェースに伝送することができ、画像表示位置が間違うことがなく、画面混乱等の状況がなくなり、それにより表示効果を向上させる。第１ＤＶＩインターフェース３０１のそれぞれが受信した第１画像データ流の予約済みの制御ビットに該第１画像データ流の画像位置情報を携え、再生コントローラは原画像データ流及び該画像位置情報を符号化することによって該第１画像データ流を生成する。
【００２９】
図４は本発明の実施例による再生コントローラの構造模式図であり、該再生コントローラは、エンコーダ４０１と複数の第３ＤＶＩインターフェース４０２を備える。
【００３０】
エンコーダ４０１は原画像データ流を符号化して画像データ流を取得し、原画像データ流の画像位置情報を画像データ流の予約済みの制御ビットに符号化して第１画像データ流を取得し、第１画像データ流を第３ＤＶＩインターフェースに送信することに用いられる。選択的に、エンコーダ４０１はビデオコントローラ内部に配備されるＦＰＧＡチップであってよく、該チップは符号化機能を備える。第３ＤＶＩインターフェース４０２のそれぞれは、エンコーダ４０１から第１画像データ流を受信して、且つ受信した第１画像データ流を出力することに用いられる。
【００３１】
説明する必要があるのは、該図４に示した再生コントローラには、オーディオエンコーダ、無線伝送インターフェース、プロトコル処理ユニットなどのその他の基本デバイスを更に備え、ビデオ再生機能を実現することに用いられてもよく、本発明の実施例はこれを具体的に制限することがない。
【００３２】
再生コントローラが予約済みの制御ビットのどちら又はいくつかを復号化するかのは、再生コントローラとビデオコントローラの間により予め約束されてよく、画像データ流における予約済みの制御ビットへの符号化に対して図５を参照できる。
【００３３】
図５は本発明の実施例による符号化模式図であり、該模式図において、図５における（ａ）の図は原画像データ流のフォーマット模式図であり、図５における（ｂ）の図は第１画像データ流のフォーマット模式図である。図５における（ａ）の図を参照して分かるように、予約済みの制御ビットは一般的にアイドルであり、具体的には、原画像データ流において画像データに対応した時間帯で予約済みの制御ビットＣＴＬ０、ＣＴＬ１、ＣＴＬ２及びＣＴＬ３はアイドルである。このため、予約済みの制御ビットＣＴＬ０、ＣＴＬ１、ＣＴＬ２及びＣＴＬ３は画像位置情報をベアラーすることに用いられることができる。再生コントローラが画像位置情報に対する符号化方式は、画像位置情報を画像データ流において予約済みの制御ビットにおけるＣＴＬ０、ＣＴＬ１、ＣＴＬ２及びＣＴＬ３の中の指定ビットに符号化することであってもよく、該指定ビットの数は少なくとも１つであり、本発明の選択的な実施例を詳細的に紹介するために、以下、指定ビットの異なる数によってそれぞれ画像位置情報の符号化を紹介し、画像位置情報の符号化は、以下のいくつかの方式を含む。
【００３４】
第1方式、再生コントローラは画像位置情報を画像データ流において予約済みの制御ビットにおけるＣＴＬ０、ＣＴＬ１、ＣＴＬ２及びＣＴＬ３の中の１つの指定ビットに符号化する。
【００３５】
再生コントローラによって画像位置情報を画像データ流において予約済みの制御ビットにおけるＣＴＬ０、ＣＴＬ１、ＣＴＬ２及びＣＴＬ３の中の１つの指定ビットに符号化して、２種の異なる符号化情報を取得することができ、且つ異なる符号化情報はディスプレイにおける異なる表示位置に対応する。第１画像データ流における予約済みの制御ビットを符号化して得られた画像位置情報は、該第１画像データ流がディスプレイに表示する位置領域を示すことができる。
【００３６】
例えば、仮に１つのディスプレイは上下の２つのサブディスプレイに分けられ、符号化方式としてバイナリ符号化を使用する際に、ＣＴＬ０、ＣＴＬ１、ＣＴＬ２及びＣＴＬ３の中の１つの指定ビットを符号化して、０と１の２種の符号化情報を取得することができ、この時、０はディスプレイの上部位置のサブディスプレイに対応でき、１はディスプレイの下部位置のサブディスプレイに対応できる。ある第１画像データ流に対応した画像位置情報が０である際に、該第１画像データ流をディスプレイ全体の上方位置にあるサブディスプレイに表示する必要があるのを示す。同様に、ある第１画像データ流に対応した画像位置情報は１である際に、該第１画像データ流をディスプレイ全体の下方位置にあるサブディスプレイに表示する必要があるのを示す。
【００３７】
第２方式、再生コントローラは画像位置情報を画像データ流において予約済みの制御ビットにおけるＣＴＬ０、ＣＴＬ１、ＣＴＬ２及びＣＴＬ３の中の２つの指定ビットに符号化する。
【００３８】
第２方式によって異なる画像データ流を符号化して、第１方式より多い符号化情報を取得することができ、且つ各異なる符号化情報はディスプレイ全体における異なる表示位置に対応する。
【００３９】
例えば、符号化方式にはバイナリ符号化を使用して、且つ再生コントローラは画像位置情報を画像データ流において予約済みの制御ビットにおけるＣＴＬ０、ＣＴＬ１、ＣＴＬ２及びＣＴＬ３の中の２つの指定ビットに符号化する際に、４種の異なる符号化情報、即ち００、０１、１０及び１１を取得することができる。図１中の（ｃ）の図を参照して、例えば、００は図１の（ｃ）の図における左上の表示領域に対応でき、０１は図１における（ｃ）の図の左下の表示領域に対応でき、１０は図１の（ｃ）の図における右上角表示領域に対応でき、１１は図１の（ｃ）の図における右下の表示領域に対応できる。ある第１画像データ流に対応した画像位置情報が００である際に、該第１画像データ流を図１の（ｃ）の図における左上の表示領域に表示する必要があるのを確定する。
【００４０】
第３方式、再生コントローラは画像位置情報を画像データ流において予約済みの制御ビットにおけるＣＴＬ０、ＣＴＬ１、ＣＴＬ２及びＣＴＬ３の中の３つの指定ビットに符号化する。
【００４１】
第３方式によって異なる画像データ流を符号化して、第２方式より多い符号化情報を取得することができ、且つ各異なる符号化情報はディスプレイ全体における異なる表示位置に対応する。再生コントローラ側に複数の画像データ流がある際に、再生コントローラは第３方式を使用して画像データ流における予約済みの制御ビットを符号化することができる。
【００４２】
第３方式は上記第１方式と第２方式と同様であるため、ここで例示して説明しない。
【００４３】
第４方式、再生コントローラは画像位置情報を画像データ流において予約済みの制御ビットにおけるＣＴＬ０、ＣＴＬ１、ＣＴＬ２及びＣＴＬ３ビットに符号化する。
【００４４】
第４方式を使用して異なる画像データ流を符号化して、第３方式より多い符号化情報を取得することができ、且つ各種の異なる符号化情報はディスプレイ全体における異なる表示領域に対応する。再生コントローラ側に複数の画像データ流がある際に、再生コントローラはこの方式を使用して画像データ流における予約済みの制御ビットを符号化することができる。
【００４５】
第４方式は上記のいくつかの方式と同様であるため、ここで例示して説明しない。
【００４６】
また、本発明の実施例による再生コントローラは画像位置情報における上位の数値を画像データ流において予約済みの制御ビットにおけるＣＴＬ０、ＣＴＬ１に符号化して、画像位置情報における下位の数値を画像データ流において予約済みの制御ビットにおけるＣＴＬ２及びＣＴＬ３に符号化してもよく、或いは、画像位置情報における下位の数値を画像データ流において予約済みの制御ビットにおけるＣＴＬ０、ＣＴＬ１に符号化して、画像位置情報における上位の数値を画像データ流において予約済みの制御ビットにおけるＣＴＬ２とＣＴＬ３に符号化してもよい。これにより、４ビットの予約済みの制御ビットはより多くのＤＶＩインターフェースを有する設備に応用でき、符号化の柔軟性を向上させる。例えば、再生コントローラ一に３３個のインターフェースを有すると、ＣＴＬ０とＣＴＬ１に下位の数値をベアラーし、ＣＴＬ２とＣＴＬ３に上位の数値をベアラーする場合に対して、ＣＴＬ０とＣＴＬ１にはそれぞれ１と１をベアラーし、ＣＴＬ２とＣＴＬ３にはそれぞれ１と１をベアラーすることにより、３３番目の表示領域を代表することができる。
【００４７】
大きいサイズの画面表示技術に対して、表示装置は１つの完全なディスプレイを有してもよいし、複数のサブ表示装置を有してもよく、各サブ表示装置はいずれも１つのディスプレイを有し、つまり、以下の２種の状況である。
【００４８】
第１方式、ビデオコントローラは表示装置に内蔵され、該表示装置は１つのディスプレイを有する。
【００４９】
この時、該ビデオコントローラ内部に更に複数の表示制御ユニットを備え、各表示制御ユニットは該ディスプレイ上の１つの領域における画像表示を制御することに用いられ、各表示制御ユニットはビデオコントローラにおける１つの第２ＤＶＩインターフェースに接続され、且つ該第２ＤＶＩインターフェースから画像ビデオ流を受信して、該表示制御ユニットにより画像をディスプレイにおける対応した領域に表示する。
【００５０】
該第１方式に対して、再生コントローラは表示装置におけるビデオコントローラに接続され、その具体的な接続は図６における構造を参照でき、図６における再生コントローラはエンコーダとＰ１、Ｐ２、Ｐ３、Ｐ４という４つの第３ＤＶＩインターフェースを備え、表示装置はビデオコントローラを備え、該ビデオコントローラはデコーダ、Ａ１、Ａ２、Ａ３、Ａ４という４つの第１ＤＶＩインターフェース、Ｃ１、Ｃ２、Ｃ３、Ｃ４という４つの第２ＤＶＩインターフェース及び４つの表示制御ユニットＶ１、Ｖ２、Ｖ３およびＶ４を備え、Ｃ１、Ｃ２、Ｃ３、Ｃ４という４つの第２ＤＶＩインターフェースはそれぞれ４つの表示制御ユニットＶ１、Ｖ２、Ｖ３およびＶ４に接続され、表示制御ユニットＶ１〜Ｖ４はそれぞれ表示装置における表示領域１〜４を制御し、図６における花図は表示画像の効果図である。
【００５１】
仮に図６における第３ＤＶＩインターフェースＰ１−Ｐ４が送信した第１画像データ流の画像位置情報はそれぞれ１、２、３、４であると、第３ＤＶＩインターフェースＰ１が第１ＤＶＩインターフェースＡ３に誤接続され、第３ＤＶＩインターフェースＰ３が第１ＤＶＩインターフェースＡ１に誤接続されたとしても、ビデオコントローラのデコーダにより第１ＤＶＩインターフェースＡ１が受信した第１画像データ流の予約済みの制御ビットを解析した結果、該第１ＤＶＩインターフェースＡ１が伝送した第１画像データ流の画像位置情報が３であるのを取得し、この時、デコーダは該第１画像データ流を復号化することで、第２画像データ流を取得し、且つ第２画像データ流を表示制御ユニット３に接続される第２ＤＶＩインターフェースＣ３に送信し、それにより該第２画像データ流を画面位置情報が３である画面領域に表示することができ、同様で、デコーダは第１ＤＶＩインターフェースＡ３が送信してきた第１画像データ流を依然として画面位置情報が１である画面領域に表示し、それにより再生コントローラとビデオコントローラの間のＤＶＩインターフェースの順序が間違っても、本発明の実施例は画像を正確な位置に表示することができる。
【００５２】
第２方式、ビデオコントローラは表示装置と独立し、該表示装置は複数のサブ表示装置を備え、各サブ表示装置は少なくとも１つのＤＶＩインターフェースを備えてよい。
【００５３】
ビデオコントローラと表示装置とは２つの互いに独立した設備であってもよいし、ある設備に存在する２つの互いに独立したデバイスであってもよく、本発明の実施例はこれを制限することがない。
【００５４】
ビデオコントローラにおける第２ＤＶＩインターフェースのそれぞれは表示装置における１つのサブ表示装置のＤＶＩインターフェースに接続され、第２ＤＶＩインターフェースが送信した第２画像データ流をサブ表示装置に表示することを実現する。
【００５５】
該第２方式に対して、再生コントローラはビデオコントローラに接続され、ビデオコントローラは複数のサブ表示装置に接続され、具体的な接続は図７における構造を参照でき、該再生コントローラはエンコーダとＰ１、Ｐ２、Ｐ３、Ｐ４という４つの第３ＤＶＩインターフェースを備え、該ビデオコントローラはデコーダ、Ａ１、Ａ２、Ａ３、Ａ４という４つの第１ＤＶＩインターフェース及びＣ１、Ｃ２、Ｃ３、Ｃ４という４つの第２ＤＶＩインターフェースを備え、表示装置は４つのサブ表示装置Ｄ１〜Ｄ４からなり、Ｃ１〜Ｃ４はそれぞれＤ１〜Ｄ４に接続される。
【００５６】
図７において、第３ＤＶＩインターフェースＰ１は第１ＤＶＩインターフェースＡ３に誤接続され、第３ＤＶＩインターフェースＰ３は第１ＤＶＩインターフェースＡ１に誤接続されたが、ビデオコントローラにおけるデコーダにより第１ＤＶＩインターフェースＡ１が送信してきた第１画像データ流における予約済みの制御ビットを解析した結果、該第１画像データ流に対応した画像位置情報が３であるのを取得すると、デコーダは該第１画像データ流を復号化して、第２画像データ流を取得し、且つ第２画像データ流を第２ＤＶＩインターフェースＣ３に送信し、それにより該第２画像データ流をサブ表示装置Ｄ３に表示させ、同様で、デコーダは第１ＤＶＩインターフェースＡ３が送信してきた第１画像データ流をサブ表示装置１に表示させ、それにより再生コントローラとビデオコントローラの間のＤＶＩインターフェースの順序は間違っても、本発明の実施例は画像を正確な位置に表示することができる。
【００５７】
更に、ビデオコントローラにおける第２ＤＶＩインターフェースのそれぞれは更に各サブ表示装置が送信した画面位置情報を受信することに用いられ、且つデコーダは更に画面位置情報に基づき、サブ表示装置と第２ＤＶＩインターフェースの間の対応関係を確立して記憶することに用いられ、それによりデコーダが第１画像データ流の画像位置情報を確定する際に、該画像位置情報及び記憶されたサブ表示装置と第２ＤＶＩインターフェースとの間の対応関係に基づき、復号化して得られた第２画像データ流を対応した第２ＤＶＩインターフェースに送信する。
【００５８】
説明する必要があるのは、各サブ表示装置を組み立て終わった後に、該サブ表示装置の画面位置情報を確定することができ、ビデオコントローラにどちらの第２ＤＶＩインターフェースがどちらのサブ表示装置に対応するのを知らせるために、サブ表示装置により拡張ディスプレイ識別データＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報によって自分の画面位置情報をビデオコントローラに送信することができ、ビデオコントローラは該画面位置情報及び画面位置情報を受信する第２ＤＶＩインターフェースに基づき、サブ表示装置と第２ＤＶＩインターフェースとの間の対応関係を確立して記憶する。
【００５９】
本発明の実施例によるビデオコントローラは、デコーダが画像データ流における予約済みの制御ビットを解析することによって、第１ＤＶＩインターフェースのそれぞれに対応した画像位置情報を取得し、次に、該画像位置情報に基づき画像データ流を異なる第２ＤＶＩインターフェースに送信して、第２ＤＶＩインターフェースのそれぞれが受信した画像データ流を出力して表示するようにし、それにより再生コントローラのＤＶＩインターフェースとビデオコントローラのＤＶＩインターフェースとの接続順序を考える必要せずに、画像データ流に対応した画像をディスプレイの正確な位置に表示することができる。
【００６０】
上記第１方式及び図３、図４に示す設備構造に基づいて、再生コントローラと表示装置におけるビデオコントローラの間に図６に示す接続を行うことで、１つの表示システムを構成でき、該表示システムに基づいて、本発明の実施例は更に画像表示方法を提供でき、図８に示すようです。
【００６１】
ステップ８０１では、再生コントローラにおけるエンコーダは各原画像データ流を符号化してその画像データ流を取得し、且つ該原画像データ流の画像位置情報を該画像データ流の予約済みの制御ビットに符号化して、第１画像データ流を取得するようにする。
【００６２】
具体的には、再生コントローラにおけるエンコーダは複数の原画像データ流及びその画像位置情報に基づいて複数の第１画像データ流を生成する。
【００６３】
再生コントローラにおけるエンコーダが画像データ流の予約済みの制御ビットを符号化した方式は、以上で詳細的に紹介したため、ここで省略する。
【００６４】
ステップ８０２では、再生コントローラにおけるエンコーダは各第１画像データ流を再生コントローラにおける該第１画像データ流に対応した第３ＤＶＩインターフェースに送信する。
【００６５】
ある第１画像データ流に対応した第３ＤＶＩインターフェースとは、エンコーダの第１画像データ流の出力ピンに固定接続される第３ＤＶＩインターフェースであってもよい。
【００６６】
具体的には、再生コントローラにおけるエンコーダは複数の第１画像データ流をそれぞれ再生コントローラにおける前記複数の第１画像データ流に一々対応する複数の第３ＤＶＩインターフェースに送信する。
【００６７】
ステップ８０３では、再生コントローラにおける第３ＤＶＩインターフェースのそれぞれはビデオコントローラの該第３ＤＶＩインターフェースに接続される第１ＤＶＩインターフェースに該第３ＤＶＩインターフェースが受信した第１画像データ流を送信する。
【００６８】
具体的には、再生コントローラの複数の第３ＤＶＩインターフェースは前記複数の第１画像データ流をそれぞれビデオコントローラの前記複数の第３ＤＶＩインターフェースに一々接続される複数の第１ＤＶＩインターフェースに送信する。
【００６９】
ステップ８０４では、ビデオコントローラにおける第１ＤＶＩインターフェースのそれぞれは第１画像データ流を受信する際に、該第１画像データ流をビデオコントローラにおけるデコーダに送信する。
【００７０】
ステップ８０５では、ビデオコントローラにおけるデコーダは各第１画像データ流を受信する際に、各第１画像データ流における予約済みの制御ビットを解析して、第１ＤＶＩインターフェースのそれぞれが受信した第１画像データ流に対応した画像位置情報を取得し、且つ各第１画像データ流を復号化して、第２画像データ流を取得する。
【００７１】
これにより、デコーダは複数の第１画像データ流を復号化して、複数の第２画像データ流を取得する。該デコーダは第１ＤＶＩインターフェースのそれぞれから受信した第１画像データ流に対していずれも該ステップ８０５と同様な処理を行い、ここで省略する。
【００７２】
ステップ８０６では、ビデオコントローラにおけるデコーダは得られた第１ＤＶＩインターフェースのそれぞれに対応した画像位置情報に基づき、該第１ＤＶＩインターフェースが受信した第１画像データ流を復号化することによって取得した第２画像データ流をその画像位置情報に対応する第２ＤＶＩインターフェースに送信する。
【００７３】
ステップ８０７で、ビデオコントローラの第２ＤＶＩインターフェースのそれぞれは第２画像データ流を受信する際に、該第２画像データ流を該第２ＤＶＩインターフェースに接続される表示制御ユニットに送信して、該表示制御ユニットはディスプレイの対応した領域に該第２画像データ流を表示させる。
【００７４】
これにより、異なる表示制御ユニットは異なる第２ＤＶＩインターフェースから異なる第２画像データ流を受信して、且つそれぞれディスプレイの異なる領域に前記異なる第２画像データ流を表示する。
【００７５】
上記第２方式及び図３、図４に示す設備構造に基づいて、再生コントローラ、ビデオコントローラ及び表示装置におけるそれぞれのサブ表示装置の間に図７に示す接続を行うことで、１つの表示システムを構成でき、該表示システムに基づいて、本発明の実施例は画像表示方法を更に提供することができ、図９に示すようです。
【００７６】
ステップ９０１では、再生コントローラにおけるエンコーダは各原画像データ流を符号化してその画像データ流を取得し、且つ該原画像データ流の画像位置情報を該画像データ流の予約済みの制御ビットに符号化して、第１画像データ流を取得するようにする。
【００７７】
具体的には、再生コントローラにおけるエンコーダは複数の原画像データ流及びその画像位置情報に基づいて複数の第１画像データ流を生成する。
【００７８】
ステップ９０２では、再生コントローラにおけるエンコーダは各第１画像データ流を再生コントローラにおける該第１画像データ流に対応した第３ＤＶＩインターフェースに送信する。
【００７９】
具体的には、再生コントローラにおけるエンコーダは複数の第１画像データ流をそれぞれ再生コントローラにおける前記複数の第１画像データ流に一々対応する複数の第３ＤＶＩインターフェースに送信する。
【００８０】
ステップ９０３では、再生コントローラにおける第３ＤＶＩインターフェースのそれぞれはビデオコントローラの第１ＤＶＩインターフェースに該第３ＤＶＩインターフェースが受信した第１画像データ流を送信する。
【００８１】
具体的には、再生コントローラの複数の第３ＤＶＩインターフェースは前記複数の第１画像データ流をそれぞれビデオコントローラの前記複数の第３ＤＶＩインターフェースに一々接続される複数の第１ＤＶＩインターフェースに送信する。
【００８２】
ステップ９０４では、ビデオコントローラにおける第１ＤＶＩインターフェースのそれぞれは第１画像データ流を受信する際に、該第１画像データ流をビデオコントローラにおけるデコーダに送信する。
【００８３】
該ステップ９０４の前に、ビデオコントローラの第２ＤＶＩインターフェースのそれぞれは更にその対応したサブ表示装置が送信した画面位置情報を受信して、且つ受信した画面位置情報をデコーダに送信することができ、デコーダにより各サブ表示装置の画面位置情報に基づき、各第２ＤＶＩインターフェースと各サブ表示装置との間の対応関係を確立して記憶する。
【００８４】
ステップ９０５では、ビデオコントローラにおけるデコーダは各第１画像データ流を受信する際に、各第１画像データ流における予約済みの制御ビットを解析して、第１ＤＶＩインターフェースのそれぞれが受信した第１画像データ流に対応した画像位置情報を取得し、且つ各第１画像データ流を復号化して、第２画像データ流を取得する。
【００８５】
これにより、デコーダは複数の第１画像データ流を復号化して、複数の第２画像データ流を取得する。ステップ９０１−９０５は上記ステップ８０１−８０５と同様で、ここで省略する。
【００８６】
ステップ９０６では、ビデオコントローラにおけるデコーダは得られた第１ＤＶＩインターフェースのそれぞれに対応した画像位置情報に基づき、該第１ＤＶＩインターフェースが受信した第１画像データ流を復号化することによって取得した第２画像データ流をその画像位置情報に対応する第２ＤＶＩインターフェースに送信する。
【００８７】
具体的には、ビデオコントローラにおけるデコーダは複数の第１画像データ流の画像位置情報に基づき、それぞれ前記複数の第１画像データ流を復号化することによって得られた複数の第２画像データ流をその画像位置情報に一々対応する複数の第２ＤＶＩインターフェースに送信する。
【００８８】
ステップ９０７では、ビデオコントローラの第２ＤＶＩインターフェースのそれぞれは第２画像データ流を受信する際に、該第２画像データ流を該第２ＤＶＩインターフェースに接続されるサブ表示装置のＤＶＩインターフェースに送信して、該サブ表示装置は該第２画像データ流を表示させる。
【００８９】
これにより、異なるサブ表示装置は異なる第２ＤＶＩインターフェースから異なる第２画像データ流を受信して、且つそれぞれそのディスプレイには前記異なる第２画像データ流を表示する。
【００９０】
当業者は、上記実施例を実現する全部又は一部のステップはハードウェアによって完成することができ、プログラムが関連のハードウェアを指令することにより完成してもよく、前記プログラムはコンピュータ可読記憶媒体に記憶することができることを理解することができ、以上で言及した記憶媒体は読み出し専用メモリ、ディスク又はＣＤなどである。
【００９１】
以上のように単に本発明の好ましい実施例だけであり、本発明を制限するためのものではなく、本発明の精神と原則にある限り、行った修正、等価置き換え、改善などは、いずれも本発明の保護範囲に含まれる。
【００９２】
本出願は２０１５年０２月１４日に提出した出願番号が「２０１５１００８０５４５．２」で且つ発明名称が「ビデオコントローラ、表示装置、再生コントローラ及び表示システム」である中国が優先に出願した優先権利を主張し、その全部内容をここに援用する。
【符号の説明】
【００９３】
３０１  第１ＤＶＩインターフェース
３０２  デコーダ
３０３  第２ＤＶＩインターフェース
４０１  エンコーダ
４０２  第３ＤＶＩインターフェース
【図１】
2018512747.tif 000003
【図２】
2018512747.tif 000004
【図３】
2018512747.tif 000005
【図４】
2018512747.tif 000006
【図５】
2018512747.tif 000007
【図６】
2018512747.tif 000008
【図７】
2018512747.tif 000009
【図８】
2018512747.tif 000010
【図９】
2018512747.tif 000011
【国際調査報告】
2018512747.tif 000012
2018512747.tif 000013
2018512747.tif 000014
2018512747.tif 000015